(57)【要約】【課題】パチンコ機等の遊技機において、興趣の飛躍的な向上を図る。【解決手段】パチンコ機１の遊技盤５には、その略中央部において可変表示装置１４が取着されている。可変表示装置１４は、液晶表示部２０と、該液晶表示部２０を囲むようにして設けられたセンターフレーム２１とを有している。センターフレーム２１は、前ベース枠と、その上辺部に上部流路部材と、その側辺部に側部流路部材と、上部流路部材及び側部流路部材に連接される連通路部材と、その下辺部に後方ステージ部材とを備えている。前記各部材は関連し合って係止されるよう構成されており、上部流路部材が前ベース枠に固定されることにより、各部材が前ベース枠に係止された状態となる。【選択図】      図１
2010201233.tif 000002
【特許請求の範囲】
【請求項１】
遊技盤に表示装置を備え、
前記表示装置が、表示部と、その周囲を囲むセンターフレームとを備えてなる遊技機であって、
前記センターフレームは、基枠部材と、当該基枠部材に組付けられる複数の構成部材とを備え、
前記複数の構成部材のうちの特定構成部材を所定の固定手段によって前記基枠部材に固定することにより、他の構成部材が前記基枠部材に係止されるようにしたことを特徴とする遊技機。
【発明の詳細な説明】
【技術分野】
【０００１】
本発明は、パチンコ機等の遊技機に関するものである。
【背景技術】
【０００２】
従来、遊技機の一種として、遊技盤面上における遊技球の挙動の挙動に起因して種々の遊技状態が導出されるパチンコ機が知られている。
【０００３】
上記パチンコ機の中には、興趣向上のため表示装置を備えたものもあり、その多くは、当該表示装置の周囲を囲むセンターフレームを備えている。
【発明の概要】
【発明が解決しようとする課題】
【０００４】
このセンターフレームは、表示部を遊技盤において支持する役割や、外観装飾の役割等多くの役割を果たしているため、近年、数多くの構成部材により構成されている。結果として、表示装置ひいてはパチンコ機を構成する部品点数の増大等といった不具合を招くおそれがあった。
【０００５】
本発明は、上述した問題に鑑みてなされたものであって、その目的は、部品点数の削減を図ることのできる遊技機を提供することにある。
【課題を解決するための手段】
【０００６】
上記の目的を達成するために有効な手段を以下に示す。なお、必要に応じてその作用等についても説明する。
【０００７】
手段１．遊技盤に表示装置を備え、
前記表示装置が、表示部と、その周囲を囲むセンターフレームとを備えてなる遊技機であって、
前記センターフレームは、基枠部材と、当該基枠部材に組付けられる複数の構成部材とを備え、
前記複数の構成部材のうちの特定構成部材を所定の固定手段によって前記基枠部材に固定することにより、他の構成部材が前記基枠部材に係止されるようにしたことを特徴とする遊技機。
【０００８】
上記手段１によれば、特定構成部材を固定することにより、他の構成部材が基枠部材に係止され、各構成部材の基枠部材からの抜け落ちが防止される。結果として、各構成部材をそれぞれ固定手段により基枠部材に固定する場合に比べて、多くの固定手段を使用する必要がなく、部品点数の削減を図ることができる。さらに、特定構成部材を取り外すことにより、他の構成部材も取り外すことが可能となるため、センターフレームの解体作業等が容易になり、リサイクル性の向上を図ることができる。
【０００９】
手段２．手段１において、前記センターフレームは、その周辺部に沿って、複数の流路構成部材により構成された球案内流路を備え、前記特定構成部材は、前記複数の流路構成部材のうちの特定の流路構成部材であることを特徴とする遊技機。なお、前記「複数の流路構成部材」は、前記球案内流路の上流部を構成する上部流路部材と、その下流部を構成する側部流路部材と、前記両流路部材を連通させる連通路部材とから構成されていることとしてもよい（以下の手段について同じ）。
【００１０】
手段３．手段２において、前記他の構成部材には、遊技球の転動を許容する特定ステージ部材及び前記複数の流路構成部材のうちの少なくとも１つが含まれることを特徴とする遊技機。
【００１１】
手段４．手段１において、前記特定構成部材は、遊技球の転動を許容する特定ステージ部材であることを特徴とする遊技機。
【００１２】
手段５．手段４において、前記センターフレームは、その周辺部に沿って、複数の流路構成部材により構成された球案内流路を備え、前記他の構成部材には、前記複数の流路構成部材のうちの少なくとも１つが含まれることを特徴とする遊技機。
【００１３】
手段６．手段１乃至手段５のいずれかにおいて、前記センターフレームは、所定の発光手段からの発光を透過させる少なくとも１つの透光部材を備え、前記他の構成部材には、前記透光部材のうちの少なくとも１つが含まれることを特徴とする遊技機。
【００１４】
手段７．手段１において、前記センターフレームは、所定の発光手段からの発光を透過させる少なくとも１つの透光部材を備え、前記特定構成部材は前記透光部材のうちのいずれかであることを特徴とする遊技機。
【００１５】
手段８．手段７において、前記センターフレームは、その周辺部に沿って、複数の流路構成部材により構成された球案内流路を備え、前記他の構成部材には、遊技球の転動を許容する特定ステージ部材及び前記複数の流路構成部材のうちの少なくとも１つが含まれることを特徴とする遊技機。
【００１６】
手段９．手段１において、前記センターフレームは、その周辺部に沿って球案内流路を備え、
当該球案内流路は、
前記基枠部材の上辺部において前記球案内流路の一部を構成する上部流路部材と、
前記基枠部材の側辺部において前記球案内流路の一部を構成する側部流路部材と、
前記球案内流路の一部を構成し、かつ、前記上部流路部材及び側部流路部材に連接される連通路部材と、
前記基枠部材の下辺部において遊技球の転動を許容する特定ステージ部材と、
前記基枠部材の上辺部において、所定の発光手段からの発光を透過させる第１透光部材及び第２透光部材とを備え、
前記特定構成部材は、前記上部流路部材、前記側部流路部材、前記連通路部材、前記特定ステージ部材、前記第１透光部材、及び、前記第２透光部材のうちのいずれかであって、
前記他の構成部材には、前記側部流路部材、前記連通路部材、前記特定ステージ部材、前記第１透光部材、及び、前記第２透光部材のうちの少なくとも１つが含まれることを特徴とする遊技機。
【００１７】
手段１０．遊技盤に表示装置を備え、
前記表示装置は、表示部と、その周囲を囲むセンターフレームとを備え、
前記センターフレームは、その周辺部に沿って球案内流路を備えてなる遊技機であって、
前記センターフレームは、基枠部材と、
前記基枠部材の上辺部において前記球案内流路の一部を構成する上部流路部材と、
前記基枠部材の側辺部において前記球案内流路の一部を構成する側部流路部材と、
前記球案内流路の一部を構成し、かつ、前記上部流路部材及び側部流路部材に連接される連通路部材と、
前記基枠部材の下辺部において遊技球の転動を許容する特定ステージ部材とを備え、
前記特定ステージ部材が、前記基枠部材に係合されるとともに、少なくとも前記センターフレームの後方向へ移動不能となるよう構成され、
前記側部流路部材が、前記特定ステージ部材をその前側より係止しつつ、後方向へ移動不能となるよう前記基枠部材に係合され、
前記連通路部材が、前記側部流路部材にその前側より係合され、
前記上部流路部材が、前記連通路部材を前側より係止しつつ所定の固定手段により前記基枠部材に固定されていることを特徴とする遊技機。
【００１８】
上記手段１０によれば、センターフレームを構成する各種構成部材が関連し合って組み付けられており、上部流路部材を基枠部材に固定することにより、各構成部材が基枠部材に係止された状態となり、その抜け落ちが防止される。結果として、各構成部材をそれぞれ固定手段により基枠部材に固定する場合に比べて、多くの固定手段を使用する必要がなく、部品点数の削減を図ることができる。さらに、上部流路部材を取り外すことにより、他の構成部材も取り外すことが可能となるため、センターフレームの解体作業等が容易になり、リサイクル性の向上を図ることができる。
【００１９】
手段１１．手段１０において、前記側部流路部材及び特定ステージ部材は、それぞれ一対の突部を有し、
前記基枠部材は、前記各一対の突部に対応する一対の溝部を有し、
前記側部流路部材及び特定ステージ部材は、それぞれ前記一対の突部が前記基枠部材の前側より前記一対の溝部に嵌入されることにより、前記基枠部材に係合されていることを特徴とする遊技機。
【００２０】
上記手段１１によれば、上記各部材に設けられた一対の突部が、それぞれ基枠部材の一対の溝部にその前側より嵌入される構成となっているため、複雑な組付け作業を要せず、上記各部材を基枠部材に係合することができる。結果として、組付け作業の簡素化を図ることができる。また、解体作業時には各部材の取り外しも容易となり、解体作業の簡素化を図ることもできる。
【００２１】
手段１２．手段１０又は手段１１において、前記基枠部材の上辺部において、所定の発光手段からの発光を透過させる第１透光部材と第２透光部材を備え、
前記第１透光部材及び第２透光部材は、それぞれ一対の突部を有し、
前記基枠部材は、前記第１透光部材の一対の突部に対応する一対の溝部を有し、
前記第１透光部材は、それぞれ前記一対の突部が前記基枠部材の前側より前記一対の溝部に嵌入されることにより前記基枠部材に係合されるとともに、前記上部流路部材によって前側より係止され、
前記第２透光部材は、前記上部流路部材の下部に嵌合されるとともに、自身の前記一対の突部が前記上部流路部材により係止されていることを特徴とする遊技機。
【００２２】
上記手段１２によれば、第１透光部材及び第２透光部材を備えた場合でも、上述したように、上部流路部材を基枠部材に固定することにより、各透光部材が基枠部材に係止された状態となり、手段１又は手段２と同様の効果を奏することができる。さらに、第２透光部材に関しては、上部流路部材と第２透光部材とを一体として、上記基枠部材に組み付けることができ、組付け作業の簡素化を図ることができる。また、解体作業時には第２透光部材の取り外しも容易となり、解体作業の簡素化を図ることもできる。
【００２３】
手段１３．手段３乃至手段１２のいずれかにおいて、前記特定ステージ部材の前側において、当該特定ステージ部材と連接される前方ステージ部材を備え、
前記前方ステージ部材が、前記特定ステージ部材及び側部流路部材を前側より係止しつつ所定の固定手段により前記基枠部材に固定されていることを特徴とする遊技機。
【００２４】
上記手段１３によれば、上部流路部材に加えて、前方ステージ部材が固定されるため、各構成部材がより確実に基枠部材に係止された状態となり、より確実にその抜け落ちが防止される。
【００２５】
手段１４．手段１３において、前記前方ステージ部材は、その一部が前記側部流路部材の前面側に配設されていることを特徴とする遊技機。
【００２６】
手段１５．手段１乃至手段１４のいずれかにおいて、前記センターフレームは、前記基枠部材の背側において、前記表示部を組付け可能な後基枠部材を備えていることを特徴とする遊技機。
【００２７】
上記手段１５によれば、基枠部材とは別に後基枠部材を備えているため、例えば上記発光手段やその制御基板等を後基枠部材側に取着する構成とすれば、基枠部材に上記各構成部材を組付け、後基枠部に前記制御基板等を組付けた後、両者を組み合わせることもでき、その結果、センターフレームの組付け作業がより容易になる。
【００２８】
手段１６．手段１５において、前記特定ステージ部材は、前記後基枠部材の一部に当接することにより、前記センターフレームの後方向へ移動不能に構成されていることを特徴とする遊技機。
【００２９】
手段１７．手段１乃至手段１６のいずれかにおいて、前記複数の構成部材のうちの少なくとも１つは、他の構成部材と組付けられる組付け部を有し、
当該組付け部に、当該構成部材の材質名又はその材質を意味する記号を表記したことを特徴とする遊技機。
【００３０】
上記手段１７によれば、構成部材の組付け部に、当該構成部材の材質名等が表記されているため、当該材質表記が遊技者に視認困難又は視認不能となり、前記材質表記によって美感を損ねたり、遊技者に様々な誤解を生じさせるといった不具合が低減される。結果として、リサイクル性の向上等を図りつつ、遊技機の外観品質が向上され、興趣の飛躍的な向上が図られる。
【００３１】
手段１８．手段１７において、前記組付け部は、前記構成部材の所定部分から突出する突部であることを特徴とする遊技機。
【００３２】
上記手段１８によれば、前記材質表記がなされている部分が突部であるため、構成部材が組付けられてない状態で前記材質表記が比較的目に止まりやすくなる。結果として、遊技機の解体作業等を行うに際して、作業者が前記材質表記を視認しやすくなり、構成部材の分別作業等を行いやすくなる。
【００３３】
手段１９．手段１８において、前記突部が、前記他の構成部材の所定部位に係止されることにより被覆されるようにしたことを特徴とする遊技機。
【００３４】
上記手段１９によれば、前記突部が前記他の構成部材によって被覆されることにより、前記材質表記がより確実に視認困難又は視認不能となる。また、遊技機の解体作業時において、作業者が前記他の構成部材を取り外すことにより、前記材質名又は材質を意味する記号をすぐさま視認することができ、作業効率を高めることができる。
【００３５】
手段２０．手段１８において、前記突部が、前記他の構成部材の所定部位に嵌められるようにしたことを特徴とする遊技機。
【００３６】
上記手段２０によれば、突部が前記他の構成部材の所定部位に嵌められるため、前記材質表記がより確実に視認困難又は視認不能となる。なお、前記所定部位には、凹部、孔部、穴部や溝部等が含まれる。
【００３７】
手段２１．手段１乃至手段２０のいずれかにおいて、前記遊技機はパチンコ機であること。中でも、パチンコ機の基本構成としては、操作ハンドルを備えておりそのハンドル操作に応じて遊技球を遊技盤面上に発射させ、遊技球が遊技盤を流下し、遊技盤に配設された入賞手段に入賞することに基づいて、所定条件が成立した場合には特別遊技価値が付与される。
【発明の効果】
【００３８】
本発明によれば、部品点数の削減を図ることができる。
【図面の簡単な説明】
【００３９】
【図１】一実施の形態におけるパチンコ機を示す正面図である。
【図２】センターフレームを示す斜視図である。
【図３】センターフレームを示す分解斜視図である。
【図４】センターフレームを示す正面図である。
【図５】前方ステージ部，後方ステージ部等を説明するための図１におけるＡ−Ａ線部分断面図である。
【発明を実施するための形態】
【００４０】
以下、パチンコ遊技機（以下、単に「パチンコ機」という）の一実施の形態を、図面に基づいて詳細に説明する。
【００４１】
図１に示すように、パチンコ機１は、外枠２と、該外枠２の前部に設けられ外枠２の一側部にて開閉可能に支持された前面枠３とを備えている。
【００４２】
前面枠３の前面側には、一対のガラス板Ｇ（図５参照）のはめ込まれたガラス扉枠４が開閉自在に設けられている。前面枠３の後側（ガラス扉枠４の奥、外枠２の内側）には、遊技盤５が着脱可能に装着されている。
【００４３】
ガラス扉枠４の下方には、遊技球Ｂを貯留するための球受皿としての上皿６が設けられている。また、前面枠３の前面下部には、ほぼ中央部において球受皿としての下皿７が設けられている。下皿７の側方には、遊技球発射用ハンドル８が設けられている。ハンドル８は図示しない遊技球発射装置に連結されており、遊技者がハンドル８を回転させることにより、遊技球Ｂが遊技球発射装置から発射される。
【００４４】
遊技盤５には、ルータ加工が施されることによって複数の開口部が形成されており、各開口部には、普通入賞チャッカー１１、可変入賞装置１２、入賞手段としての作動チャッカー１３、可変表示装置１４、スルーチャッカー１５等が配設されている。
【００４５】
遊技盤５の一側部には、遊技球発射装置によって発射される遊技球Ｂを遊技盤５の上部に案内する内レール１６ａ及び外レール１６ｂが設けられている。内レール１６ａの下端部付近において、遊技盤５には遊技球Ｂを導出するアウト口１７が形成されている。そして、遊技盤５の下部に流下した遊技球Ｂの多くは、このアウト口１７を通って図示しない球排出路へと案内される。本実施の形態では、遊技盤５のうち内レール１６ａ及び外レール１６ｂによって囲まれ、可変表示装置１４等が配設された部分が、遊技球Ｂが流下可能な遊技領域となっている。
【００４６】
さて、可変表示装置１４は、液晶表示部２０と、該液晶表示部２０を囲むように設けられたセンターフレーム２１とを備えている。
【００４７】
液晶表示部２０には、例えば左図柄列、中図柄列及び右図柄列の３つの表示列が表示される。各図柄列は識別情報としての複数の図柄によって構成されており、これら図柄が各図柄列毎にスクロールするように可変表示される。
【００４８】
より詳しくは、可変表示装置１４の下方に設けられた作動チャッカー１３に遊技球Ｂが入賞することに基づいて、可変表示装置１４の液晶表示部２０の図柄が可変表示される。そして、停止された図柄の組合せが予め設定した特定の組合せとなった場合には特別遊技価値が付与される。すなわち、大当たり状態が発生し、可変入賞装置１２の大入賞口が所定の開放状態となり（具体的には所定時間、所定回数だけ開く）、遊技球Ｂが入賞しやすい状態になる。なお、可変入賞装置１２は、通常、遊技球Ｂが入賞できない状態又は入賞し難い状態になっている。
【００４９】
また、周知のとおり、前記普通入賞チャッカー１１、可変入賞装置１２、作動チャッカー１３に遊技球Ｂが入賞することに基づいて、上皿６又は下皿７に対し所定数の景品球（遊技球Ｂ）が払い出される。また、遊技盤５には、遊技球Ｂの流下方向を適宜分散、調整等するために多数の釘Ｋ（図１，５参照、但し便宜上、図１では符号を省略する）が植設されているとともに、風車等の各種部材（役物）が配設されている。
【００５０】
次に、上述した可変表示装置１４のセンターフレーム２１について説明する。図２乃至図５に示すように、センターフレーム２１は、遊技盤５の前面側に配設される基枠部材としての前ベース枠２２と、遊技盤５の背面側に配設される後基枠部材としての後ベース枠２３とを備えている。前ベース枠２２と後ベース枠２３とは上ネジ２０３，下ネジ２０４により固定されている。
【００５１】
前ベース枠２２及び後ベース枠２３はそれぞれ中央部が開口した枠体形状をなし、両ベース枠２２，２３が組付けられることによって、センターフレーム２１は全体として前後方向に貫通した枠体形状となっている。
【００５２】
前ベース枠２２の背面側には背壁部２４が形成され、その中央部には略矩形状の窓部２５が形成されている。後ベース枠２３の背面側にも、背壁部２６が形成され、その中央部には液晶表示部２０に対応した略矩形状の窓部２７が形成されている。窓部２７周辺となるセンターフレーム２１の背面側（本実施の形態では後ベース枠２３の背面側）には、図示しない発光手段としてのＬＥＤ等の電飾部材が各種制御基板とともに取着されている。
【００５３】
後ベース枠２３の前面側の開口周面部２８は、下辺部を除き、前記窓部２５と略同一形状に形成され、両ベース枠２２，２３が組付けられた状態では、窓部２５及び開口周面部２８の上辺部及び左右両側辺部がそれぞれ面一となる。なお、本実施の形態では、開口周面部２８の下辺部が窓部２５の下辺部より低位置となるように構成されている。これは後述する特定ステージ部材としての後方ステージ部材７１を組付け易くするためであって、両下辺部が略同一形状となるように構成してもよい。
【００５４】
前ベース枠２２の上梁部３０は、その上周縁部が略円弧状となっており、その左右方向の中央部が左右両端部より高くなっている。また、上周縁部の左右両側には、当該上周縁部より前面側に向けて突出する一対の左右天井部３１，３２がそれぞれ一体的に設けられている。
【００５５】
上梁部３０の前面側には上部流路部材３６が取着されている。上部流路部材３６は本実施の形態における特定構成部材を構成する。上部流路部材３６は前ベース枠２２の背面側より固定手段としてのネジ２００，２０１により固定されている。上部流路部材３６は、全体として上に凸となる略円弧形状をなし、その左右方向の中央部が左右両側部より高くなっている。上部流路部材３６は、左右天井部３１，３２にほぼ並行するように形成された底部３７と、底部３７の前面側端部より上方へ延設された前面壁３８とを有している。
【００５６】
底部３７の左右方向の中央部には、当該底部３７を左右に仕切る仕切部３９が設けられている。左右両天井部３１，３２と底部３７との間隔、及び、上梁部３０の前面と前面壁３８との間隔は少なくとも遊技球Ｂが通過可能な大きさに構成されている。これにより、センターフレーム２１の上部には、遊技盤５上を流下してくる遊技球Ｂを上梁部３０の略中央部から導入し、左又は右側方へ案内することのできる上部流路４０が形成される（図４参照）。
【００５７】
なお、底部３７は、左右天井部３１，３２とほぼ並行するように形成されているとはいっても、中央部から左右方向に向けて徐々にその傾斜角度が変化していくようには形成されておらず、その傾斜角度が段階的に変化していくように構成されている。詳しくは、中央部付近では比較的緩やかな傾斜面が続き、左右端部近傍において比較的傾斜のきつい傾斜面となっている。従って、傾斜の緩やかな部分が比較的多くなり、上部流路４０へ導入された遊技球Ｂは、その転動速度が比較的速くならないように左右方向へと案内される。
【００５８】
上梁部３０の前面側には、上部流路部材３６の下方において、図示しないＬＥＤ用の第１レンズ４１が設けられている。第１レンズ４１は本実施の形態における第２透光部材を構成する。第１レンズ４１の本体部は、上辺部の左右方向の長さより下辺部の長さが短くなった正面略台形状に形成されている。また、第１レンズ４１の上部周辺の形状と、上部流路部材３６の中央下部の形状とが略同一となっており、第１レンズ４１は上部流路部材３６の中央下部に背面側より嵌入されている。第１レンズ４１の左右両端部に突部としての突起部４１ａが形成されるとともに、上部流路部材３６の背面側には突起部４１ａに対応する図示しない受部が形成されている。従って、上部流路部材３６により第１レンズ４１が係止され、これにより第１レンズ４１の前方及び下方への抜け落ちが防止されている。
【００５９】
また、上記背壁部２４の上辺部の前面側には、第１レンズ４１の下方においてＬＥＤ用の第２レンズ４２が設けられている。第２レンズ４２は、取付枠４３とともに組付けられている。第２レンズ４２は、複数のＬＥＤ等に対応するように複数の箱形レンズ４４（本実施の形態では４つ）が連接された構成となっている。取付枠４３には各箱形レンズ４４の形状に対応した複数の貫通孔４５が形成されており、各箱形レンズ４４が各貫通孔４５に対し、取付枠４３の背面側より嵌入されている。
【００６０】
第２レンズ４２の左右両端部に突起部４２ａが形成され、取付枠４３の背面側には突起部４２ａに対応する図示しない受部が形成されている。これにより、取付枠４３により第２レンズ４２が係止される。
【００６１】
さらに、取付枠４３の左右両端部近傍に突部としての突起部４３ａがそれぞれ形成され、上梁部３０には、突起部４３ａに対応するように前後方向に延びる溝部としての溝４６が設けられている。そして、突起部４３ａが溝４６へそれぞれ前面側より差し込まれることにより、取付枠４３及び第２レンズ４２が前ベース枠２２に組付けられている。これにより、取付枠４３ひいては第２レンズ４２の下方への抜け落ちが防止されている。
【００６２】
また、上部流路部材３６の背面側に突起部４３ａに対応する図示しない受部が形成されている。これにより、上部流路部材３６により取付枠４３が係止され、取付枠４３ひいては第２レンズ４２の前方への抜け落ちが防止されている。なお、第２レンズ４２及び取付枠４３が一体となったものが、本実施の形態における第１透光部材を構成する。
【００６３】
さて、上記左右両側辺部３４，３５の内周面側には、一対の側部流路部材５０，５１がそれぞれ設けられている。側部流路部材５０，５１は、横方向の断面形状が凹型であって、左右両側辺部３４，３５の内周面に沿って上下方向に延びた形状となっている。側部流路部材５０，５１は、それぞれ凹型開口部が背面側を向いている。なお、左右両側辺部３４，３５の内周面には上下方向に沿って起伏が設けられており、当該起伏に対応するように側部流路部材５０，５１は波形に曲折した形状となっている。
【００６４】
側部流路部材５０，５１には、上端部においてそれぞれ突片５０ａ，５１ａが形成され、下端部において突片５０ｂ，５１ｂがそれぞれ形成されている。また、上記上梁部３０には、突片５０ａ，５１ａに対応するように前後方向に延びる溝５２が設けられ、同様に上記左右両側辺部３４，３５の下端部には突片５０ｂ，５１ｂに対応する溝５４が設けられている。そして、突片５０ａ，５１ａが溝５２へ、及び、突片５０ｂ，５１ｂが溝５４へそれぞれ前面側より差し込まれることにより、側部流路部材５０，５１が前ベース枠２２に組付けられている。つまり、ここでは本実施の形態における側部流路部材５０，５１の一対の突部が突片５０ａ，５１ａ及び突片５０ｂ，５１ｂによって構成され、これらに対応する一対の溝部が溝５２及び溝５４によって構成されている。
【００６５】
左右両側辺部３４，３５の前面側と側部流路部材５０，５１の前面側とが面一となっている。また、側部流路部材５０，５１の前面側には、「龍」の胴部を模した鱗模様が付されている。
【００６６】
側部流路部材５０，５１の内側は、少なくとも遊技球Ｂが通過可能な大きさに構成されている。側部流路部材５０，５１は、その凹型開口部の端部が上記背壁部２４の左右両側辺部にそれぞれ当接している。これにより、側部流路部材５０，５１及び背壁部２４の左右両側部によって、遊技球Ｂを流下させる側部流路５３がセンターフレーム２１の左右両側部に形成される（図４、５参照）。
【００６７】
側部流路部材５０，５１の上端部の前面側にはそれぞれ上開口部６０が形成されている。上梁部３０の前面側には、各上開口部６０に対応するように、左右両端部近傍において傾斜部６１が設けられている。各傾斜部６１は、上部流路部材３６の左右両端部から前記各上開口部６０に向けて傾斜している。
【００６８】
側部流路部材５０，５１の前面側上部には「龍」の頭部を模した連通路部材としての肩カバー６３，６４がそれぞれ取着されている。各肩カバー６３，６４は、それぞれ各開口部６０の前方、上部流路部材３６の左右両端部、及び、傾斜部６１を覆っている。なお、各肩カバー６３，６４には、それぞれ上部流路部材３６側において、突起部６３ａ，６４ａが形成され、上部流路部材３６の背面側には各突起部６３ａ，６４ａに対応する図示しない受部が形成されている。これにより、上部流路部材３６により各肩カバー６３，６４が係止され、肩カバー６３，６４の前方への抜け落ちが防止される。各肩カバー６３，６４の背面側には、それぞれ図示しない係合部が形成され、当該各係合部はそれぞれ各上開口部６０に係合されるようになっている。
【００６９】
各肩カバー６３，６４の背面側には遊技球Ｂが通過可能な流路６３ｂ，６４ｂが形成されている（図４参照）。この流路６３ｂ，６４ｂの前面側の壁面は、上記傾斜部６１とほぼ並行するように形成されている。流路６３ｂ，６４ｂによって上部流路４０と側部流路５３とが、遊技球Ｂが通過可能に連通する。つまり、上部流路４０、側部流路５３及び流路６３ｂ，６４ｂによって本実施の形態における球案内流路が構成される。従って、上部流路部材３６、側部流路部材５０，５１及び肩カバー６３，６４は本実施の形態における流路構成部材を構成する。
【００７０】
一方、側部流路部材５０，５１の下部には、相対向する面において、下開口部６５が形成されている。これにより、前ベース枠２２の下梁部６６の上面部６７へ側部流路５３から遊技球Ｂが排出されるようになっている。
【００７１】
上面部６７は、左右方向に沿って湾曲しており、凹型の（下に凸となる）略円弧状となっている。その左右方向の略中央部には、遊技球Ｂを上記作動チャッカー１３の方へ誘導可能な誘導溝６８が形成されている。誘導溝６８の左右両側部には前方へ傾斜した排出傾斜部６９が形成されいる。
【００７２】
下梁部６６の上方には後方ステージ部材７１が設けられている。後方ステージ部材７１は、半透明部材により成形され、遊技球Ｂの転動を許容する後方ステージ部７２と、上記上面部６７上の遊技球Ｂを視認可能とする視認部７３とを有する。
【００７３】
後方ステージ部７２は、左右方向に沿って湾曲しており、パチンコ機１の正面から見て凹型の略円弧状となっている。後方ステージ部７２は、その左右両端部がそれぞれ上記左右両側辺部３４，３５に達するまで左右方向に拡がっている。また、後方ステージ部７２の後端部は上記背壁部２４の前面に当接している。これにより、後方ステージ部材７１がセンターフレーム２１の後方向へ移動不能に構成されている。
【００７４】
なお、後方ステージ部７２の左右両端部にはそれぞれ突部としての突片７２ａが形成され、これに対応するように、前ベース枠２２においては、窓部２５の左右両側辺の下端部に溝部としての溝７５がそれぞれ設けられ、後ベース枠２３においては、開口周面部２８の左右両側辺の下端部に溝７６がそれぞれ設けられている。さらに、後方ステージ部７２の後端部の略中央部には突片７２ｂが形成され、これに対応するように、背壁部２６には嵌入孔７７が形成されている。そして、各突片７２ａがそれぞれ溝７５，７６へ前面側より差し込まれるとともに、突片７２ｂが嵌入孔７７に嵌合されることにより、後方ステージ部７２が両ベース枠２２，２３に組付けられている。
【００７５】
後方ステージ部７２の左右方向の中央部には、前方に向けて下方へ比較的緩やかに傾斜した傾斜面７８が設けられている。傾斜面７８は比較的左右の幅が広く、その中央部には上記作動チャッカー１３の方へ遊技球Ｂを誘導可能な誘導路７９が形成されている。誘導路７９の上流側の端部近傍には、その左右両側において一対の傾斜突部８０，８１が誘導路７９に沿って設けられている。各傾斜突部８０，８１は、それぞれ誘導路７９側に向けて上方へ傾斜している。各傾斜突部８０，８１の前後方向の幅は少なくとも遊技球Ｂの径より広くなっている。
【００７６】
後方ステージ部７２の左右両側部には、左右方向へ延在する一対のリブ８２，８３が設けられている。各リブ８２，８３の前後方向の位置は傾斜突部８０，８１の前面側端部に対応している。すなわち、背壁部２６と各リブ８２，８３との間隔が遊技球Ｂの径より広くなっている。また、各リブ８２，８３の高さは、遊技球Ｂの転動速度によっては、遊技球Ｂが当該リブ８２，８３を乗り越えることができるような比較的低くなっている。
【００７７】
さて、上記視認部７３は、後方ステージ部７２の前面側端部より下方へ延設されている。視認部７３の前面は、下梁部６６及び両側部流路部材５０，５１と略面一となるように構成されている。視認部７３の下端部は、少なくとも左右両端部近傍において下梁部６６と当接している。また、下端部の略中央部には誘導溝６８及び排出傾斜部６９に対応するように凹部８５が形成されており、誘導溝６８又は排出傾斜部６９からの遊技球Ｂの導出又は排出を可能とする。
【００７８】
後方ステージ部材７１の前方には前方ステージ部材９０が連接されている。前方ステージ部材９０は、その上面に前方ステージ部９３を有する。前方ステージ部材９０は、左右方向に沿って湾曲しており、全体として下に凸となる略円弧形状となっている。前方ステージ部材９０の前後方向の幅は少なくとも遊技球Ｂの径より広くなっている。前方ステージ部材９０の左右両端部は、その左右方向における位置が上記左右両側辺部３４，３５の各左右端部とほぼ同じ位置となっている（若干、外方へ突出している）。本実施の形態では、上記視認部７３の前後方向の位置が、遊技盤５の前面とほぼ同じ位置となっている。従って、前方ステージ部材９０は、そのほぼ全体が遊技盤５面より前方へ突出した状態となっている。前方ステージ部材９０の前端部は、前後方向に対して上記複数の釘Ｋの前端部とほぼ同位置まで達している。なお、前方ステージ部材９０は前ベース枠２２の背面側より固定手段としてのネジ２０７，２０８により固定されている。
【００７９】
前方ステージ部材９０の左右両端部には、それぞれ中空状のクッション部９１，９２が設けられている。クッション部９１，９２の中空部はその左右方向の断面形状が略平行四辺形状となっており、その上面部は当該前方ステージ部材９０の中央部に向けて下方へ傾斜している。また、前方ステージ部材９０の左右両端部は遊技盤５に対して開放されており、ここからクッション部９１，９２へ遊技球Ｂが導入可能となっている。
【００８０】
両クッション部９１，９２に挟まれた前方ステージ部９３は上記後方ステージ部７２と略面一となっている。前方ステージ部９３には、各クッション部９１，９２の左右方向の内側において一対の誘導リブ９４，９５が設けられている。誘導リブ９４，９５は、各クッション部９１，９２の前面側端部より前方ステージ部材９０の背面方向に向けて湾曲し、その先端部近傍は後方ステージ部７２の略対角線上にある上記リブ８２，８３の先端部近傍に向けて略直線状に延びている。
【００８１】
さらに、前方ステージ部９３には、その左右方向の中央部において落下孔９７が設けられている。落下孔９７の左右方向の長さは上記傾斜面７８の左右方向の長さに対応している。なお、これらの左右方向の長さは、遊技球Ｂの複数個分の長さ又はそれ以上となるように構成されている。
【００８２】
落下孔９７の左右方向の中央部には、上下方向に沿って一対の仕切板９８，９９が上記誘導路７９に対応して設けられている。一対の仕切板９８，９９によって、作動チャッカー１３の直上方に誘導孔１００が形成される。
【００８３】
なお、前方ステージ部材９０の背面側には図示しない一対の突起部が形成され、これに対応するように、上記視認部７３には前記突起部が嵌入される一対の嵌入孔１０１，１０２が形成されている。これにより、前方ステージ部材９０は後方ステージ部材７１に組付けられている。
【００８４】
さて、本実施の形態では、前ベース枠２２、後ベース枠２３、上部流路部材３６、第１レンズ４１、第２レンズ４２、側部流路部材５０，５１、肩カバー６３，６４、後方ステージ部材７１、及び、前方ステージ部材９０はポリカーボネート（ＰＣ）に形成されている。なお、少なくとも上部流路部材３６及び側部流路部材５０，５１は、遊技球Ｂの視認性を高めるため、透明又は半透明のものが採用されている。これに限らず、上記各構成部材が、透光性又は視認性を有するもので、透明又は半透明のもの又は染料や顔料等によって着色されているものであっても何ら差し支えない。
【００８５】
ここで、センターフレーム２１の組付け順序について説明する。但し、後ベース枠２３の背面側における図示しないＬＥＤや基板等の組付けについては便宜上その説明を省略する。
【００８６】
まず、第２レンズ４２を取付枠４３に組付けるとともに、各突起部４３ａを各溝４６へそれぞれ前面側より嵌め込み、取付枠４３を上梁部３０下部に組付ける。また、各突片７２ａを溝７５へそれぞれ前面側より嵌め込み、下梁部６６に後方ステージ部材７１を組付ける。
【００８７】
続いて、突片５０ａ，５１ａ及び突片５０ｂ，５１ｂをそれぞれ溝５２及び溝５４へ前面側より嵌め込み、側部流路部材５０，５１を左右両側辺部３４，３５にそれぞれ組付ける。これにより、後方ステージ部材７１（各突片７２ａ）が側部流路部材５０，５１に前側より係止される。
【００８８】
次に、側部流路部材５０，５１の上部に肩カバー６３，６４をそれぞれ組付ける。そして、予め第１レンズ４１を組付けた上部流路部材３６を上梁部３０へ組付け、前ベース枠２２の背面側からネジ止めする。
【００８９】
また、前方ステージ部材９０を後方ステージ部材７１に組付け、前ベース部材２２の背面側よりネジ止めする。そして最後に、前ベース枠２２と後ベース枠２３とを組付け、ネジ止めする。
【００９０】
次に、上記のように構成されてなる本実施の形態の作用及び効果について説明する。
【００９１】
本実施の形態によれば、遊技者の操作により、遊技盤５上部に打ち込まれた遊技球Ｂは、センターフレーム２１上部から上部流路４０へ案内される場合がある。この遊技球Ｂは、当該上部流路４０、流路６３ａ（６４ａ）及び側部流路５３を通って、下梁部６６の上面部６７へ案内される。そして、遊技球Ｂは上面部６７に沿って転動し、誘導溝６８又は排出傾斜部６９から遊技盤５へと導出される。このうち誘導溝６８に沿って導出される遊技球Ｂは比較的高い確率で作動チャッカー１３へと導かれる。なお、遊技者は、上面部６７における遊技球Ｂの挙動を、視認部７３を介して視認することができる。
【００９２】
また、遊技盤５を流下する一部の遊技球Ｂは、上記釘Ｋ等によって、前方ステージ部材９０へ案内される場合がある。詳しくは、センターフレーム２１の左側（又は右側）を流下する遊技球Ｂが、前方ステージ部材９０の左側（右側）端部よりクッション部９１（９２）へと案内される。この遊技球Ｂの流下してきた勢いは、ある程度クッション部９１（９２）によって吸収される。
【００９３】
そして、この遊技球Ｂはクッション部９１（９２）の傾斜に沿って転動する。クッション部９１（９２）を通過すると、遊技球Ｂは前方ステージ部９３を下りつつ、誘導リブ９４（９５）に沿って転動する。
【００９４】
遊技球Ｂは、誘導リブ９４（９５）の上記形状に基づいて転動方向を変化させていき、当該誘導リブ９４（９５）を通過すると、後方ステージ部７２の略対角線上にあるリブ８３（８２）の先端部近傍に向けて転動していく。
【００９５】
ここで、遊技球Ｂは、クッション部９１（９２）及び前方ステージ部９３の傾斜によって十分に加速されているため、傾斜面７８及び誘導路７９において、その緩やかな傾斜に沿って手前側に転動することがほとんどなく、傾斜面７８及び誘導路７９を通過することができる。
【００９６】
遊技球Ｂは、傾斜面７８及び誘導路７９を通過すると、リブ８３（８２）の先端部の先から背壁部２６へと到達する。また、遊技球Ｂは、傾斜面７８及び誘導路７９の形状によって、その転動方向を若干変えられてリブ８３（８２）に向かって転動していったとしても、リブ８３（８２）を乗り越え背壁部２６へと到達することができることもある。
【００９７】
背壁部２６へと到達した遊技球Ｂは、当該背壁部２６によって転動方向を後方ステージ部７２の外方へと変化させられ、当該背壁部２６に沿って開口周面部２８の右側辺部（左側辺部）へと転動する。ここで、勢い余って背壁部２６から前面側へ跳ね返ってくる遊技球Ｂも、リブ８３（８２）によって前面側への動きを規制されつつ、前記右側辺部（左側辺部）へと転動する。
【００９８】
遊技球Ｂは、前記右側辺部（左側辺部）へと到達すると、当該右側辺部（左側辺部）で跳ね返ることによって（又は転動を停止させられ、後方ステージ部７２の傾斜によって）、その転動方向を反転させる。
【００９９】
そして、遊技球Ｂは、リブ８３（８２）によって前面側への動きを規制されつつ、後方ステージ部７２の傾斜に沿って傾斜突部８１（８０）へ向けて転動する。
【０１００】
遊技球Ｂは、傾斜突部８１（８０）へ到達すると、当該傾斜突部８１（８０）の傾斜によってその転動速度が減速されつつ、傾斜突部８１（８０）を上っていく。
【０１０１】
傾斜突部８１（８０）を上りきった遊技球Ｂは、誘導路７９へ落下する。そして、遊技球Ｂは誘導路７９に沿って転動し、誘導孔１００を通過し、作動チャッカー１３の方へと導かれる。上述したように誘導孔１００が作動チャッカー１３の直上方に設けられているため、遊技球Ｂは比較的高い確率で作動チャッカー１３に入賞する。
【０１０２】
一方、傾斜突部８１（８０）を上りきらない遊技球Ｂは、傾斜面７８に沿って前面側へ転動し、落下孔９７を通って遊技盤５上へ排出される。
【０１０３】
以上詳述したように、センターフレーム２１を構成する各種構成部材が関連し合って組み付けられており、上部流路部材３６を前ベース枠２２に固定することにより、各構成部材が前ベース枠２２に係止された状態となり、その抜け落ちが防止される。結果として、各構成部材をそれぞれ固定手段（ネジ等）により前ベース枠２２に固定する場合に比べて、多くの固定手段を使用する必要がなく、部品点数の削減を図ることができる。さらに、上部流路部材３６を取り外すことにより、他の構成部材も取り外すことが可能となるため、センターフレームの解体作業等が容易になり、リサイクル性の向上を図ることができる。
【０１０４】
また、上部流路部材３６に加えて、前方ステージ部材９０が固定されるため、各構成部材がより確実に前ベース枠２２に係止された状態となり、より確実にその抜け落ちが防止される。
【０１０５】
さらに、上記ＬＥＤやその制御基板等が後ベース枠２３に取着される構成となっているため、各ベース枠２２，２３に各種部材等を組付けた後、両者を組み合わせることが可能となり、結果として、センターフレームの組付け作業がより容易になる。
【０１０６】
尚、上述した実施の形態の記載内容に限定されず、例えば次のように実施してもよい。
【０１０７】
（ａ）上記実施の形態では、後方ステージ部７２の後端部が背壁部２６に当接することにより、後方ステージ部材７１が後方向へ移動不能となるよう構成されている。これに限らず、後方ステージ部材７１の一部が前ベース枠２２の一部に係止されることにより、後方向へ移動不能となるよう構成してもよい。
【０１０８】
（ｂ）上記実施の形態では、後ベース枠２３の背面側に、ＬＥＤ等の電飾部材が各種制御基板とともに取着されている。これに限らず、前ベース枠２２にも電飾部材や各種制御基板等が取着される構成としてもよい。
【０１０９】
（ｃ）第１レンズ４１及び第２レンズ４２の少なくとも１つを省略した構成としてもよい。
【０１１０】
（ｄ）上記実施の形態とは異なるタイプのパチンコ機にも適用してもよい。従って、可変表示装置１４のないパチンコ機にも応用できる。また、パチンコ機以外にも、雀球、アレンジボール等の遊技機にも応用可能である。
【０１１１】
（ｅ）上記実施の形態では、特定構成部材としての上部流路部材３６によって、他の構成部材（第１レンズ４１、第２レンズ４２、側部流路部材５０，５１、肩カバー６３，６４、及び、後方ステージ部材７１）が前ベース枠２２に係止されるように構成されているが、これに限らず、センターフレーム２１の組付け構造を代え、第１レンズ４１、第２レンズ４２、側部流路部材５０，５１、肩カバー６３，６４、及び、後方ステージ部材７１の内のいずれか少なくとも１つが特定構成部材となり、当該特定構成部材を前ベース枠２２に固定することにより、他の構成部材が前ベース枠２２に係止されるような構成としてもよい。また、特定構成部材例えば上部流路部材３６によって前ベース枠２２に係止される構成部材は、第１レンズ４１、第２レンズ４２、側部流路部材５０，５１、肩カバー６３，６４、及び、後方ステージ部材７１のすべてでなくともよい。従って、上部流路部材３６、第１レンズ４１、第２レンズ４２、側部流路部材５０，５１、肩カバー６３，６４、及び、後方ステージ部材７１のうちの少なくとも１つが、特定構成部材によって前ベース枠２２に係止される構成としてもよい。
【０１１２】
（ｆ）また、各構成部材の組付け部にその構成部材の材質名又はその材質を意味する記号が表記された構成としてもよい。例えば組付け部としての上記突片７２ｂに、後方ステージ部材７１の材質を意味する記号（例えば「ポリカーボネイト」を意味する「ＰＣ」等）が表記された構成としてもよい。また、同様に、組付け部としての上記突起部４１ａ、突起部４２ａ、突起部４３ａ、突片５０ｂ，５１ｂ、突起部６３ａ，６４ａ等にも、各構成部材の材質名又はその材質を意味する記号が表記されるようにしてもよい。このようにすれば、各構成部材が組み付けられた状態では、前記材質表記が視認不能又は視認困難となっており、外観形状の美観を損なうことなく、センターフレーム２１の解体作業時等においては、作業者が前記材質表記を視認しやすくなり、構成部材の分別作業等を行いやすくなる。結果として、さらなるリサイクル性の向上を図ることができる。
【符号の説明】
【０１１３】
１…遊技機としてのパチンコ機、５…遊技盤、１３…入賞手段としての作動チャッカー、１４…可変表示装置、２０…液晶表示部、２１…センターフレーム、２２…基枠部材を構成する前ベース枠、２３…後基枠部材を構成する後ベース枠、３０…上梁部、３１，３２…左右両天井部、３６…特定構成部材，流路構成部材を構成する上部流路部材、３７…底部、３８…前面壁、３９…仕切部、４０…球案内流路を構成する上部流路、４１…第２透光部材を構成する第１レンズ、４１ａ…突起部、４２…第１透光部材を構成する第２レンズ、４２ａ…突起部、４３…第１透光部材を構成する取付枠、４３ａ…突起部、４６…溝、３４，３５…左右両側辺部、５０，５１…流路構成部材を構成する側部流路部材、５０ａ，５１ａ…突片、５０ｂ，５１ｂ…突片、５２…溝、５３…球案内流路を構成する側部流路、５４…溝、６３，６４…連通路部材，流路構成部材を構成する肩カバー、６３ａ，６４ａ…突起部、６６…下梁部、６８…誘導溝、６９…排出傾斜部、７１…特定ステージ部材を構成する後方ステージ部材、７２…後方ステージ部、７２ａ…突片、７２ｂ…突片、７３…視認部、７５…溝、７７…嵌入孔、７８…傾斜面、７９…誘導路、８０，８１…傾斜突部、８２，８３…リブ、９０…前方ステージ部材、９１，９２…クッション部、９３…前方ステージ部、９４，９５…誘導リブ、９７…落下孔、９８，９９…仕切板、１００…誘導孔、Ｂ…遊技球。
【図１】
2010201233.tif 000003
【図２】
2010201233.tif 000004
【図３】
2010201233.tif 000005
【図４】
2010201233.tif 000006
【図５】
2010201233.tif 000007